(57)【要約】  【課題】  閉鎖すべき状態なのに解放状態にあることあるいは解放すべき状態なのに閉鎖状態にあることは回避されることを特徴とするコーヒー豆収納容器を提供する。  【解決手段】  本考案のコーヒー豆収納容器は、容器２内に貯められたコーヒー豆を粉砕器に供給する出口筒４と、自動コーヒーメーカーとコーヒー豆収納容器とを結合する、前記出口筒４と同軸に配置され連結リング７とを具備し、前記出口筒４を閉鎖するために、閉鎖装置１２の少なくとも１つの閉鎖素子１３，１４に整列しており、前記少なくとも１つの閉鎖素子１３，１４は、前記出口筒１２の軸に平行になるよう配置された旋回軸を基準にして２つの最終状態の間で旋回可能となり、前記少なくと１つの閉鎖素子１３，１４は、機械的伝達機構を有し、それを介して、前記容器２の回転運動に機械的に連結していることを特徴とする。【選択図】      図１
0003104361.tif 000002
【実用新案登録請求の範囲】
【請求項１】
容器（２）内に貯められたコーヒー豆を粉砕器に供給する出口筒（４）と、自動コーヒーメーカーとコーヒー豆収納容器とを結合する、前記出口筒（４）と同軸に配置され連結リング（７）とを具備する自動コーヒーメーカー用のコーヒー豆収納容器において、
前記コーヒー豆収納容器は、前記出口筒（４）を閉鎖するために、閉鎖装置（１２）の少なくとも１つの閉鎖素子（１３，１４）に整列しており、
前記少なくとも１つの閉鎖素子（１３，１４）は、前記出口筒（１２）の軸に平行になるよう配置された旋回軸を基準にして２つの最終状態の間で旋回可能となり、
前記少なくと１つの閉鎖素子（１３，１４）は、機械的伝達機構を有し、それを介して、前記容器（２）の回転運動に機械的に連結しており、
閉鎖すべき状態なのに解放状態にあることあるいは解放すべき状態なのに閉鎖状態にあることは回避されることを特徴とするコーヒー豆収納容器。
【請求項２】
前記機械的伝達機構は、リンク連結伝達機構であることを特徴とする請求項１記載のコーヒー豆収納容器。
【請求項３】
前記少なくとも１つの閉鎖素子（１３，１４）は、制御溝（２２，２３）への制御軸（２０，２１）の係合を介して、移動することを特徴とする請求項２記載のコーヒー豆収納容器。
【請求項４】
閉鎖装置（１２）の各閉鎖素子（１３，１４）は、制御溝（２２，２３）に係合している制御軸（２０，２１）に追従することを特徴とする請求項３記載のコーヒー豆収納容器。
【請求項５】
制御装置（１２）は、複数の閉鎖素子（１３，１４）の少なくとも１つで、前記制御板（１５）の制御溝（２２，２３）に対応していることを特徴とする請求項４記載のコーヒー豆収納容器。
【請求項６】
制御板（１５）は、連結リング（７）に回転して取り付けれることを特徴とする請求項５記載のコーヒー豆収納容器。
【請求項７】
容器（２）は、連結リング（７）に回転して取り付けれられ、
前記制御板（１５）に拘束孔（２４）が形成され、
自動コーヒーメーカーにコーヒー豆収納容器（１）が取り付けられる際に、制御板（１５）が回転される際に、拘束孔（２４）が阻止用ピンに係合することを特徴とする請求項５記載のコーヒー豆収納容器。
【請求項８】
少なくとも１つの閉鎖素子（１３，１４）の出口筒に向けて解放状態にある側が、容器（２）に向かって傾斜して配置されていることを特徴とする請求項１乃至７の何れか１項に記載のコーヒー豆収納容器。
【請求項９】
閉鎖装置（１２）は、２個の閉鎖素子（１３，１４）を有し、前記閉鎖素子（１３，１４）は、出口筒４の軸を基準に対向して配置されることを特徴とする請求項１乃至８の何れか１項に記載のコーヒー豆収納容器。
【考案の詳細な説明】
【技術分野】
【０００１】
本考案は、容器内に貯められたコーヒー豆を粉砕器（コーヒーミル）に供給する出口筒と、自動コーヒーメーカーとコーヒー豆収納容器とを結合する、出口筒と同軸に配置され連結リングとを具備した、自動コーヒーメーカー用のコーヒー豆収納容器に関する。
【背景技術】
【０００２】
自動コーヒーメーカーあるいは全自動コーヒーメーカーは、コーヒー豆を貯蔵するコーヒー豆収納容器を有する。このような自動コーヒーメーカーにおいては、コーヒーを調製するために、新鮮で挽きたてのコーヒー粉を準備する必要がある。自動コーヒーメーカーに付属するコーヒー粉の粉砕器が、時に必要とされるコーヒー粉を用意するために、必要である。コーヒー豆収納容器は、出口筒を具備する容器を有し、この出口筒は粉砕器の入口の上に配置される。容器の出口筒は、大体の場合、上に配置された案内円錐を保持する。それでもって、コーヒー豆を粉砕器に供給する。容器の下部は解放されている。
【０００３】
コーヒー豆収納容器は、自動コーヒーメーカーの本体に連結リングの途中で連結される。この連結リングは、形成された対応物（例えばバヨネット形式）で固定される。
【０００４】
従来、コーヒー豆収納容器を自動コーヒーメーカーの本体から取り外すことは、コーヒー豆収納容器を空にした状態でのみ可能である。そうしないと、コーヒー豆容器内にあるコーヒー豆が出口筒を介して外にこぼれてしまうからである。コーヒー豆収納容器を取り外すことは、粉砕器の通路のとおりを良くする為にも、粉砕器の洗浄作業の為にも、あるいはコーヒー豆収納容器そのものを洗浄するためにも必要である。コーヒー豆収納容器を取り外す際に、コーヒー豆収納容器内にあるコーヒー豆が外にこぼれることは、欠点である見なされている。
【考案の開示】
【考案が解決しようとする課題】
【０００５】
上記の従来技術を考慮すると、本考案の課題は、自動コーヒーメーカー用のコーヒー豆収納容器を提供することである。本考案により、コーヒー豆収納容器からコーヒー豆が外にこぼれることなく、コーヒー豆で満たされた収納容器を自動コーヒーメーカーから取り外すことができる。
【課題を解決するための手段】
【０００６】
前記課題は、本考案により解決される。即ち本考案によれば、コーヒー豆収納容器は、出口筒を閉鎖するために、閉鎖装置の少なくとも１つの閉鎖素子に整列している。これにより、少なくとも１つの閉鎖素子は、出口筒の軸に平行になるよう配置された旋回軸を基準にして２つの最終状態の間で旋回可能となる。その際、この少なくと１つの閉鎖素子は機械的伝達機構を有し、それを介して、容器の回転運動に機械的に連結している。これにより、閉鎖すべき状態なのに解放状態にあることあるいは解放すべき状態なのに閉鎖状態にあることは回避される。
【０００７】
本考案のコーヒー豆収納容器は、１つあるいは複数の閉鎖素子を具備する閉鎖装置を有する。この閉鎖素子は、コーヒー豆収納容器を自動コーヒーメーカーから取り外す際、相関的動きをして閉鎖状態に移る。このようなコーヒー豆収納容器の相関的動きに必要なものは回転運動である。この回転運動は、コーヒー豆収納容器を取り外すために連結リングをその対応物から外すことにより行われる。この少なくとも１つの閉鎖素子は出口筒の軸を基準にして旋回運動をして出口筒内で閉鎖状態あるいは解放（通過）状態をとる。この少なくとも１つの閉鎖素子は、機械的に駆動される。その際、容器の回転運動が連結リンク伝達装置へ転換することにより、閉鎖素子の旋回運動を引き起こす。このような（リンク）連結伝達装置／機構は、少なくとも１つの制御素子（軸）が制御溝に係合することにより実現される。その際、各閉鎖素子の形状に従って、制御溝に係合している制御軸が追従する。事情に応じて、少なくとも１つの閉鎖素子が連結リングあるいは容器にある場合は、制御溝は他の素子に合わせられる。同様に、閉鎖素子の数に対応する数の制御溝を具備した制御板を用意することも可能である。原理的に望ましいことは、容器の回転運動は少なくとも１つの閉鎖素子の旋回運動に関連付けられ、それにより、少なくとも１つの閉鎖素子が容器を横切る即ち閉じる。このような場合、容器の回転運動に対しそして出口筒の軸の周囲の閉鎖素子に対応する制御溝がその場に形成される。同様に出口筒は、少なくとも１つの制御カーブが形成された素子が容器の回転運動に連動するように、形成することも可能である。
【０００８】
本考案のさらなる変形例は、容器に対し少なくとも２つの状態の間で回転可能な連結リングが考えられる。連結リングに対し容器の回転運動の限界に対する末端止め部材が、少なくとも１つの閉鎖素子の解放状態を提供する。他の末端状態は、少なくとも１つの閉鎖素子の閉鎖状態に対応する。それにより次のことが可能となる。即ち、閉鎖装置が容器の出口筒を閉じる場合、自動コーヒーメーカーにある対応物からの連結リングの解放状態への移行の為の連結リングの回転運動が可能となる。その理由は、容器の回転モーメントの伝達が連結リングに作用し、出口筒内の少なくとも１つの閉鎖素子が封鎖する状態にある場合、それを閉じる方向に移動させることが対応物により可能となるからである。
【０００９】
閉鎖装置は、例えば２つの閉鎖素子を有する。その閉鎖素子の間の残存開口の隙間は、そこを通過／落下するコーヒー豆の最小直径より小さい。
【００１０】
少なくとも１つの閉鎖素子は、出口筒方向に向いた面を容器に向けて斜めにすることも可能である。これは、閉鎖素子の前面の前にあるコーヒー豆を簡単に排除するためである。
【００１１】
このような容器に貯蔵されたコーヒー豆を他の種類の豆と交換することは、例えば、自動コーヒーメーカーを取り出し、別の種類のコーヒー豆が入ったコーヒー豆収納容器を準備すること、あるいは、コーヒー豆収納容器にあるコーヒー豆を別の容器に入れ、その後空になったコーヒー豆収納容器を好みの豆で満たすことにより可能である。以下本考案を添付した図面を参照して実施形態に基づいて説明する。
【考案を実施するための最良の形態】
【００１２】
コーヒー豆収納容器１はコーヒー豆を貯蔵する容器２を有する。容器２は容器２の上部を閉じる蓋３を有する。容器２の下部が出口筒４の上に配置される。出口筒４上にある容器２内のコーヒー豆が粉砕器に搬送される。出口筒４は、案内素子５（図２を参照）を超えて境界を形成する。案内素子５は容器２の内側壁で脚部上で支持されている。容器２にコーヒー粉室６が取り付けられている。コーヒー粉室６を介して、粉砕器のコーヒー粉が自動コーヒーメーカーに供給される。蓋３でコーヒー粉室６もその上部を同じく覆われている。
【００１３】
コーヒー豆収納容器１の一部が連結リング７である。連結リング７でコーヒー豆収納容器１は図示されていない自動コーヒーメーカーに連結されている。連結リング７は、ここに開示した実施形態においては、容器２と相対的に回転することによりに結合される。開口部９が形成された突起部８が連結リング７の周囲の半径方向に取り付けられている。開口部９はコーヒー粉室６の下側出口と同列にある。突起部８で自動コーヒーメーカーのコーヒー粉の供給用開口を閉鎖することができる。コーヒー粉室６を介してコーヒー粉を供給するために、コーヒー豆収納容器１は、自動コーヒーメーカーの対応する開口と開口部９が同列にあるような状態に配置される。
【００１４】
連結リング７はバイヨネット形式の係合ピン１０，１１（図３，４を参照）に連結リング７の対応物を介して取り付けられる。これでもって、コーヒー豆収納容器を自動コーヒーメーカーに取り付ける。
【００１５】
連結リング７と容器２との間の出口筒４の領域に、参照番号１２で示した閉鎖装置が配置されている。閉鎖装置１２の目的は、自動コーヒーメーカーからコーヒー豆収納容器１が取り外された時に、容器２内に貯蔵されているコーヒー豆が出口筒４から放出されないように、出口筒４を閉じることである。閉鎖装置１２は２個の閉鎖素子１３，１４と制御板１５とから構成されている。閉鎖素子１３，１４は弓型形状をしており、その端部領域に係合用開口１６，１７が形成されている。係合用開口１６，１７に、容器２の下側に形成された係合用軸１８，１９（図２を参照）が係合する。それにより、閉鎖素子１３，１４が旋回可能に配置される。係合用軸１８，１９により可能となった旋回動作は出口筒４の軸に対して並列に行われる。閉鎖素子１３，１４は、容器２による案内通路側に沿って、制御軸２０，２１のそれぞれに追従する。各制御軸２０，２１は、制御板１５の制御溝２２，２３に係合する。制御板１５は、容器２の回転運動に対抗してしっかりと保持される。この目的のために拘束孔２４を有する。自動コーヒーメーカーに１が取り付けられる際には、コーヒーメーカーに取り付けられた軸／ピンが拘束孔２４に係合する。
【００１６】
２個の閉鎖素子１３，１４は、出口筒４の軸を基準にそれぞれ容器２の方向に向けて取り付けられている。このことは図２の断面図から明らかである。
【００１７】
図３は、２個の閉鎖素子１３，１４を具備した閉鎖装置１２の下に向かって、容器２から見るように切断した断面図を示す。閉鎖素子１３，１４のそれぞれの下に制御板１５の制御溝２２，２３がある。制御軸２０と２１とがそれぞれ制御溝２２，２３に係合して配置されていることも示されている。
【００１８】
制御溝２２，２３が２つの切り欠きを示す。外側の切り欠き境界は、出口筒４の軸と同心に形成されている。これらの切り欠き内の回転角内の容器２と連結リング７の回転運動は、閉鎖装置１２が関与するため、完全には行われない。これらの切り欠き内の回転運動により、既に粉砕されたコーヒー粉を取り出すために自動コーヒーメーカーの閉鎖状態にある開口が形成される。２つの制御溝２２，２３は、それぞれ、形成された切り欠きが境界となる垂直方向に形成された切り欠きを形成する。容器２の時計方向の回転運動の際、２個の閉鎖素子１３，１４は、出口筒４内で旋回するように  予め形成された溝に沿って動く。これは、２個の閉鎖素子１３，１４が互いに当接する（図４に示すように）まで行われる。２つの閉鎖素子１３，１４の間に存在する残りの空隙は、容器２内にあるこぼれ落ちるコーヒー豆の直径より小さい。
【００１９】
自動コーヒーメーカーに対する連結リング７のバヨネット形式の係合による閉鎖は上記のように構成されているので、閉鎖装置１２が図４に示すような状態にあるときには、コーヒー豆収納容器１を自動コーヒーメーカーから取り外すことができる。連結リング７のバヨネット形式の係合ピン１０，１１に対応して、自動コーヒーメーカー側にそれに適合する装置（対応物）が形成されている。また拘束孔２４に係合するために、自動コーヒーメーカー側に保持用ピン（対応物）が形成されている、
【００２０】
上記に開示したコーヒー豆収納容器の変形例では、調製ピンを配置し、閉鎖素子の間に残ったコーヒー豆を採り除くよう構成することができる。この調製軸は羽根を動かすようにコーヒー豆収納容器に形成され、その結果、閉じられた閉鎖素子の間の残余空隙の近くにはないコーヒー豆も取り除く構成もとることができる。必要によっては、閉鎖素子の間に捕捉された状態の調製ピンを、後退路に留まるコーヒー豆を内側に動かすよう構成することもできる。
【図面の簡単な説明】
【００２１】
【図１】本考案の自動コーヒーメーカー用のコーヒー豆容器を分解し展開した状態の斜視図である。
【図２】図１のコーヒー豆容器の下部閉鎖装置の領域の部分断面図である。
【図３】閉鎖装置を具備した、図２のＡ−Ｂ線に沿った断面図である。
【図４】コーヒー豆容器の閉鎖装置が閉鎖した状態にある出口筒の図３に対応する状態を表す図である。
【符号の説明】
【００２２】
１  コーヒー豆収納容器
２  容器
３  蓋
４  出口筒
５  案内素子
６  コーヒー粉室
７  連結リング
８  突起部
９  開口部
１０  係合ピン
１１  係合ピン
１２  閉鎖装置
１３  閉鎖素子
１４  閉鎖素子
１５  制御板
１６  係合用開口
１７  係合用開口
１８  係合用軸
１９  係合用軸
２０  制御軸
２１  制御軸
２２  制御溝
２３  制御溝
２４  拘束孔
【図１】
0003104361.tif 000003
【図２】
0003104361.tif 000004
【図３】
0003104361.tif 000005
【図４】
0003104361.tif 000006